(57)【要約】【課題】本発明は、コインで擦過することで、手書の秘匿画像でも視認可能とさせるスクラッチシートであって、擦過前には秘匿画像を視認できず、擦過して始めて秘匿画像を視認可能とすることのできるスクラッチシート、これを与えるためのスクラッチ用媒体を提供することを目的とする。【解決手段】コインで擦過することで秘匿画像を象るように着色させて視認可能とするスクラッチシートであって、上質紙の上にコイン擦過性無機酸化物粒子と塗料用水性ニスとを含む白色インキで印刷したスクラッチ印刷層を設け、その上に透明もしくは白色のインキまたはトナーで前記秘匿画像を与えたことを特徴とするスクラッチシート。【選択図】なし【特許請求の範囲】
【請求項１】
コインで擦過することで秘匿画像を象るように着色させて視認可能とするスクラッチシートであって、
上質紙の上にコイン擦過性無機酸化物粒子と塗料用水性ニスとを含む白色インキで印刷したスクラッチ印刷層を設け、
その上に透明もしくは白色のインキまたはトナーで前記秘匿画像を与えたことを特徴とするスクラッチシート。
【請求項２】
前記スクラッチ印刷層が網点で印刷されていることを特徴とする請求項１記載のスクラッチシート。
【請求項３】
前記スクラッチ印刷層が、さらに、迷彩模様で印刷されていることを特徴とする請求項１または２記載のスクラッチシート。  
【請求項４】
請求項１から３のいずれかに記載のスクラッチシートを与えるためのスクラッチ用媒体であって、上質紙の上にコイン擦過性無機酸化物粒子と塗料用水性ニスとを含む白色インキで印刷したスクラッチ印刷層を設けたことを特徴とするスクラッチ用媒体。
【請求項５】
前記スクラッチ印刷層が網点で印刷されていることを特徴とする請求項４記載のスクラッチ用媒体。
【請求項６】
前記スクラッチ印刷層が、さらに、迷彩模様で印刷されていることを特徴とする請求項４または５記載のスクラッチ用媒体。
【請求項７】
請求項１から６のいずれかに記載のスクラッチ印刷層を印刷して与えるための白色インキであって、コイン擦過性無機酸化物粒子と塗料用水性ニスとを含むことを特徴とする白色インキ。
【発明の詳細な説明】
【技術分野】
【０００１】
本発明は、コインで擦過することで秘匿画像を象るように着色させて視認可能とするスクラッチシートおよびこれを得るためのスクラッチ用媒体に関し、特に、手書でも秘匿画像を与えることのできるスクラッチシートおよびこれを得るためのスクラッチ用媒体に関する。
【背景技術】
【０００２】
白い紙の上に硬い二酸化チタンなどの無機酸化物粒子を含む白色インキで文字や画像などを印刷しても、そのままでは視認できないが、印刷部分をコインなどで擦過すると、白色インキ中の無機酸化物粒子によりコインが削れて金属粉を生じ（ヤスリ効果）、この金属粉が印刷部分に付着して黒く着色し、画像を視認できるようになる。
【０００３】
しかしながら、印刷用紙にはその白色度を高めるために蛍光増白剤が含まれており、ブラックライトのような紫外光を照射すると青白く蛍光発光する。一方、二酸化チタンなどのコイン擦過性のある無機酸化物粒子を含む白色インキは、このような紫外光を透過せず、また蛍光発光もしない。そのため、前記のスクラッチ印刷物に紫外光を照射すると、印刷用紙の青白く発光する中に白色インキにより印刷された画像が影のように黒く浮き上がってしまう。つまり、コインなどで擦過することなしに秘匿画像を視認できてしまう、といった問題を生じる。
【０００４】
これに対して、コイン擦過性無機酸化物粒子を含む白色インキを白い紙の上にベタ刷りし、この上に画像を象るようにコート（被覆）した、いわゆるネガタイプのスクラッチ印刷物が開発された。例えば、特許文献１には、紙媒体の上に、コイン擦過性無機酸化物粒子である酸化チタンを含む白色インキで下地層をベタ塗り印刷し、この上に白色剤を少なくとも含むマットニスで画像を象るようにネガパターン印刷を与えたネガタイプのスクラッチ印刷物が開示されている。
このようなスクラッチ印刷物に紫外光を照射すると、印刷用紙の青白く発光する中にベタ刷り印刷された下地層全体が黒く浮き上がり、マットニスによるネガパターンで与えられた画像を視認することはできないが、コインで擦過すると、マットニスでコートされていない白色インキ部分だけにコインの金属粉が付着し着色して、画像を視認できるようになる。
【０００５】
前記のネガタイプのスクラッチ印刷物において、透明ニスや白色剤を含むマットニスによるコート（被覆）は、一般的なインキ等で印刷して得られる。また、コート印刷のデザインによって着色される画像を自由に決定できる。すなわち、酸化チタンを含む白色インキをベタ刷りした紙の供給を受ければ、コートを印刷する工程だけを一般的な印刷設備を有する場所で別途、行って、しかも着色される画像を自由に決定してスクラッチ印刷物を製造できる。すなわち、オンデマンドのスクラッチ印刷が可能となる。
【０００６】
しかしながら、特許文献１では、酸化チタンを含む白色インキによるベタ刷り印刷とその上のコート（秘匿画像部分）との境界線が着色される画像を象ることとなるため、この境界線における色差及び光沢差をなくす、または、減じなければならない。特に、オンデマンド印刷では、コートを与える設備や環境が大きく異なり得るため、コートの印刷条件を厳格にすることなく、かかる境界線における色差及び光沢差を一定の範囲内に抑え得るようにすることが必要である。
【０００７】
そこで、特許文献２には、「コインで擦過することで秘匿画像を着色させて視認可能とさせるスクラッチ印刷物であって、コイン擦過用無機酸化物粒子を含む白色インキに有色インキを混入させてシート体の上に与えた下地層と、この上に前記下地層と同色のネガ用有色インキで前記秘匿画像を象るように与えたネガ印刷層と、を含むことを特徴とするスクラッチ印刷物」が開示され、「コインで擦過することによる秘匿画像の着色を抑制させることなく、擦過前における秘匿画像の境界線において認識され得る色差をネガ印刷層の印刷状態に大きく依存させることなく一定の範囲内に抑え得て、特に、オンデマンド印刷に適した構成のスクラッチ印刷物を提供できる」としている。
【先行技術文献】
【特許文献】
【０００８】
【特許文献１】特開２０１３−４９１３６号公報
【特許文献２】特開２０１３−７５５０８号公報
【発明の概要】
【発明が解決しようとする課題】
【０００９】
特許文献１および２は、いずれも秘匿画像は印刷して与えられるものであるが、これを手書でも可能としたいという要求がある。手書ならばより簡便、自由に秘匿画像を与えることができるため、例えば、秘匿したいメッセージを何時でも自由に手書して、それを受け取った人がコインで擦過することによって隠されたメッセージを読み取ることを可能にするといった用途が考えられる。
【００１０】
そこで、本発明は、コインで擦過することで、手書の秘匿画像でも視認可能とさせるスクラッチシートであって、擦過前には秘匿画像を視認できず、擦過して始めて秘匿画像を視認可能とすることのできるスクラッチシート、これを与えるためのスクラッチ用媒体を提供することを目的とする。
【課題を解決するための手段】
【００１１】
本発明者は、鋭意検討した結果、上質紙の上にコイン擦過性無機酸化物粒子と塗料用水性ニスとを含む白色インキで印刷するとコイン擦過性が発現し、さらに、その上に透明または白色のインキで秘匿画像を手書または印刷すると迷彩画像層を設けなくても擦過前には視認されず、擦過後に視認されることを見出し、以下（１）から（７）の発明を完成した。
【００１２】
（１）本発明のスクラッチシートは、コインで擦過することで秘匿画像を象るように着色させて視認可能とするスクラッチシートであって、
上質紙の上にコイン擦過性無機酸化物粒子と塗料用水性ニスとを含む白色インキで印刷したスクラッチ印刷層を設け、
その上に透明もしくは白色のインキまたはトナーで前記秘匿画像を与えたことを特徴とする。
【００１３】
この発明では、予めスクラッチ印刷層を設けた紙を用意しておけば、透明もしくは白色のインキまたはトナーで秘匿すべき画像を、印刷したり、透明もしくは白色のインキで手書することによって、スクラッチシートを得ることができる。
【００１４】
媒体となる紙が上質紙の場合、スクラッチ印刷層のコイン擦過性を発現させ、迷彩画像層を設けなくても擦過前に秘匿画像の視認を困難とするには、用いる白色インキがコイン擦過性無機酸化物粒子と塗料用水性ニスとを含むことが必要である。
すなわち、上質紙を用いると、印刷されたインキは紙に浸透するため、コイン擦過性無機酸化物を含むインキで印刷されたスクラッチ印刷層とその上に与えられた秘匿画像との光沢差を減じるまたは失くすことができるが、スクラッチ印刷層のコイン擦過性が失われる。
しかしながら、本発明者は、スクラッチ印刷層のインキに塗料用水性ニスを少量混ぜるとスクラッチ印刷層のコイン擦過性が再現し、秘匿画像との光沢差は変化しないことを見出したものである。
【００１５】
この現象は、日本画の分野で和紙や絵絹の滲み防止に用いる「どうさ液」による現象と類似のものと考えられる。すなわち、「どうさ液」は和紙や絵絹に前もって処理されて、描画時に絵具の滲みを防止するために用いられ、絵具の和紙や絵絹への定着を妨げない。
「どうさ液」は前もって処理され、本発明では白色インキに混合して用いるところは異なるが、その滲み防止効果があるところと、印刷や描画への影響がないところが類似している。
【００１６】
（２）本発明のスクラッチシートは、（１）記載の発明において、前記スクラッチ印刷層が網点で印刷されていることを特徴とする。
【００１７】
この発明では、スクラッチ印刷層が網点で印刷されているため、網点部分とその間隙との微妙な光沢差によってその上に手書または印刷した秘匿画像を視認できなくする効果がある。
【００１８】
（３）本発明のスクラッチシートは、（１）または（２）記載の発明において、前記スクラッチ印刷層が、さらに、迷彩模様で印刷されていることを特徴とする。
【００１９】
この発明では、スクラッチ印刷層が網点でかつ迷彩が施されているため、その上に手書または印刷した秘匿画像の視認不能とする効果が増強される。
【００２０】
（４）本発明のスクラッチ用媒体は、（１）から（３）のいずれかに記載のスクラッチシートを与えるためのスクラッチ用媒体であって、上質紙の上にコイン擦過性無機酸化物粒子と塗料用水性ニスとを含む白色インキで印刷したスクラッチ印刷層を設けたことを特徴とする。
【００２１】
（５）本発明のスクラッチ用媒体は、（４）記載の発明において、前記スクラッチ印刷層が網点で印刷されていることを特徴とする。
【００２２】
（６）本発明のスクラッチ用媒体は、（４）または（５）記載の発明において、前記スクラッチ印刷層が、さらに、迷彩模様で印刷されていることを特徴とする。
である。
【００２３】
（７）本発明の白色インキは、（１）から（６）のいずれかに記載のスクラッチ印刷層を印刷して与えるための白色インキであって、コイン擦過性無機酸化物粒子と塗料用水性ニスとを含むことを特徴とする。
【００２４】
この発明では、一般的なインキに塗料用水性ニスを混合することによって、上質紙への浸透性を小さくして滲みを防止すると同時に、コイン擦過性を発現させる。また、上質紙へ印刷するのでスクラッチ印刷層の光沢上昇も小さい。
【発明の効果】
【００２５】
本発明によると、擦過前では秘匿画像を視認できず、擦過後には明瞭に秘匿画像を視認できるスクラッチシートを与えることができ、従来のアルミ含有インキで隠蔽層を設けたスクラッチシートのように、スクラッチ滓を生じたり、擦過前に剥がれたりすることがない。
また、本発明のスクラッチ印刷層は、上質紙に「どうさ液」効果を有する白色インキで印刷されているので、その上質紙への浸透性が適度なものとなり、コート紙への印刷と比べて光沢上昇が抑制され、コイン擦過性が発現する。さらに、スクラッチ印刷層の上に透明または白色インキで手書または印刷される秘匿画像も紙に浸透するため光沢上昇が抑制される結果、秘匿画像は視認できなくなる。なお、手書する場合、乾燥前には秘匿画像は光沢を有し視認可能となっているので、字や画像を確認しながら手書できる。    
【発明を実施するための最良の形態】
【００２６】
以下、本発明を実施するための形態を詳細に説明する。なお、本実施形態は、本発明を実施するための一形態に過ぎず、本発明は本実施形態によって限定されるものではなく、本発明の要旨を逸脱しない範囲で種々の変更実施の形態が可能である。
【００２７】
本発明のスクラッチシートは、コインで擦過することで秘匿画像を象るように着色させて視認可能とするスクラッチシートであって、上質紙の上にコイン擦過性無機酸化物粒子と塗料用水性ニスとを含む白色インキで印刷したスクラッチ印刷層を設け、その上に透明もしくは白色のインキまたはトナーで前記秘匿画像を与えたことを特徴とする。
【００２８】
本発明のスクラッチ印刷層は、媒体である上質紙にコイン擦過性無機酸化物粒子と塗料用水性ニスとを含有する白色インキで網点印刷して与えられる。
【００２９】
媒体として用いる紙としては、インキ吸収性のある上質紙が好ましい。
本発明では、スクラッチ印刷層、秘匿画像とも光沢を抑制することによって、双方の光沢差を無くして視認できないようにしている。そのためには、媒体として用いる紙は、インキ吸収性があって光沢が現れにくい上質紙が好ましいが、上質紙ではコイン擦過性無機酸化物粒子を含有するインキを印刷しても擦過性が発現しない。
【００３０】
本発明は、このようなインキ吸収性と擦過性の両立を、和紙や絵絹に描画するときに用いる「どうさ液」の考え方を応用して可能としたものである。すなわち、「どうさ液」は織物等に前もって処理され、絵具の滲みを防止するが、これと同様の作用をもつものとして塗料用水性ニスを選択し、コイン擦過性無機酸化物粒子を含有する白色インキに入れることによって、上質紙への浸透を抑制しコイン擦過性を再現させることができた。
ここで用いる塗料用水性ニスは、一般の店舗で市販されているものでよいが、それと同様の組成のものであれば使用できる。
【００３１】
前記塗料用水性ニスは、コイン擦過性無機酸化物粒子と塗料用水性ニスとを含む白色インキ中に１〜５重量％含有させるのが好ましい。１重量％未満では滲み防止効果が小さく、５重量％を超えるとインキの物性が印刷に適したものとならなくなるばかりでなく、印刷機に悪影響を及ぼすことがある。
【００３２】
また、前記コイン擦過性無機酸化物粒子としては、コインより硬い物質であれば使用可能であるが、一般的には、二酸化チタン、酸化アルミニウム、シリカ等の１種以上が用いられ、その含有量はコイン擦過による着色性を考慮すると前記白色インキ中４０重量％以上で、インキとして使用できる物性とするため６５重量％以下とするのが好ましい。
【００３３】
前記白色インキは、例えば、コイン擦過性無機酸化物粒子を含有したオフセット印刷用の白色インキに塗料用水性ニスを混合して製造される。
【００３４】
前記スクラッチ印刷層は網点で印刷され、その濃度は６０〜９０％が好ましい。９０％を超えると擦過前に秘匿画像を視認できる場合があり、４０％未満ではコインで擦過したとき着色が小さいため視認が困難となる場合がある。また、スクラッチ印刷層を迷彩模様で印刷すると迷彩の効果で秘匿画像がさらに視認困難となるため好ましい。
【００３５】
本発明において秘匿画像は、前記スクラッチ印刷層に、透明もしくは白色のインキまたはトナーで印刷されるか、透明または白色のインキで手書される。
手書の場合、透明または白色のインキを筆記具として使用するのが好ましい。例えば、透明ニスをペンとして用いたり、白鉛筆を用いたりすることなどがあげられる。
【００３６】
本発明のスクラッチシートは、上質紙にコイン擦過性無機酸化物粒子と塗料用水性ニスとを含む白色インキでオフセット印刷機を用いて印刷し、その得られたスクラッチ用媒体に秘匿画像を手書または印刷することによって製造される。